(57)【要約】【課題】複数のユーザに利用される大画面を矛盾なく複数の表示装置に表示すること。【解決手段】複数端末４−１〜４−ｎから複数指示を収集する指示収集部３２と、複数指示のうちの１つの指示に基づいて大画面２１を作成する画面作成部３３と、大画面２１に基づいて複数画面２２−１〜２２−ｎを作成する複数画面作成部３４と、複数画面２２−１〜２２−ｎを複数端末４−１〜４−ｎにそれぞれ配信する分割画面配信部３５とを備えている。複数画面２２−１〜２２−ｎは、それぞれ大画面２１の部分を含んでいる。複数端末４−１〜４−ｎは、複数表示装置６−１〜６−ｎの表示面に複数画面２２−１〜２２−ｎをそれぞれ表示する。大画面表示装置３は、１つの指示により大画面２１を更新した後に、複数画面２２−１〜２２−ｎを作成する。このため、複数画面２２−１〜２２−ｎは、互いに矛盾する２つの大画面を同時に示すことがない。【選択図】図２
2004144822.tif 000002
【特許請求の範囲】
【請求項１】
回線網を介して複数端末から複数指示を収集する指示収集部と、
前記複数指示のうちの１つの指示に基づいて大画面を作成する画面作成部と、
前記大画面に基づいて複数画面を作成する複数画面作成部と、
前記回線網を介して前記複数画面を前記複数端末にそれぞれ配信する画面配信部とを具備し、
前記複数画面は、それぞれ前記大画面の部分を含み、
前記複数端末は、複数表示装置の表示面に前記複数画面をそれぞれ表示する
大画面表示装置。
【請求項２】
請求項１において、
前記大画面は、前記表示面より大きい
ことを特徴とする大画面表示装置。
【請求項３】
請求項２において、
前記大画面は、前記複数画面に重複して表現されている部分がない
ことを特徴とする大画面表示装置。
【請求項４】
請求項３において、
前記複数端末は、当該大画面表示装置を含む
ことを特徴とする大画面表示装置。
【請求項５】
請求項３または請求項４のいずれかにおいて、
前記回線網は、インターネットである
ことを特徴とする大画面表示装置。
【請求項６】
請求項１〜請求項５のいずれかにおいて、
前記複数端末は、携帯電話機である
ことを特徴とする大画面表示装置。
【請求項７】
回線網を介して複数端末から複数指示を収集するステップと、
前記複数指示のうちの１つの指示に基づいて大画面を作成するステップと、
前記大画面に基づいて複数画面を作成するステップと、
前記回線網を介して前記複数画面を前記複数端末にそれぞれ配信するステップとを具備し、
前記複数画面は、それぞれ前記大画面の部分を含み、
前記複数端末は、複数表示装置の表示面に前記複数画面をそれぞれ表示する
大画面表示方法。
【請求項８】
請求項７において、
前記大画面は、前記表示面より大きい
ことを特徴とする大画面表示方法。
【請求項９】
請求項８において、
前記大画面は、前記複数画面に重複して表現されている部分がない
ことを特徴とする大画面表示方法。
【請求項１０】
請求項９において、
前記複数端末は、当該大画面表示方法を実行するコンピュータを含む
ことを特徴とする大画面表示方法。
【請求項１１】
請求項９または請求項１０のいずれかにおいて、
前記回線網は、インターネットである
ことを特徴とする大画面表示方法。
【請求項１２】
請求項１１において、
前記複数端末は、携帯電話機である
ことを特徴とする大画面表示方法。
【発明の詳細な説明】
【０００１】
【発明の属する技術分野】
本発明は、大画面表示装置及び大画面表示方法に関し、特に、１つの表示装置の表示面より大きい画面を複数の表示面に表示するときに利用される大画面表示装置及び大画面表示方法に関する。
【０００２】
【従来の技術】
複数の表示装置の表示面を継ぎ合わせて、その継ぎ合わされた表示面に１つの大きな大画面を表示する大画面表示装置が知られている。このような大画面表示装置は、大きな表示面を有する１つの表示装置より、安価であり、設置するスペースまたは収納するスペースが小さい。このため、大画面表示装置は、大きな表示面を有する表示装置を用いてその大画面を表示する、より安価にその大きな画面を表示することができる。
【０００３】
特開２０００−８９７３８号公報には、継ぎ合わされた複数の画面のうち表示いくつかの個別画面が故障したときに、健全な個別画面を用いてソフトウェアによる操作によってもとの全画面表示を可能とするマルチパネル大画面表示装置が開示されている。特開２０００−３１０９８２号公報には、一部の表示手段の故障時に、重要部分の表示および画面展開、ウィンドウ呼び出しができるマルチ大画面表示装置が開示されている。
【０００４】
サーバ・クライアント型のウィンドウシステムを用いて、複数の表示面が継ぎ合わされた１つの大きな表示面に１つの大きな大画面を表示する手法が知られている。そのウィンドウシステム１００は、図６に示されているように、回線網１０２を介して複数の情報処理装置（コンピュータ）が互いに双方向に情報を伝送することができるように接続されている。その情報処理装置は、クライアントプロセス実行装置１０３、複数の情報端末１０４−１〜１０４−ｎから形成されている。
【０００５】
情報端末１０４−ｉ（ｉ＝１，２，３，…，ｎ）は、入力装置１０５−ｉと表示装置０６−ｉとを備えている。入力装置１０５−ｉは、情報端末１０４−ｉを使用するユーザにより操作されて指示を作成する。その指示は、画面を更新する内容を示し、たとえば、大画面をスクロールする方向を示している。表示装置１０６−ｉは、表示面に画面を表示する。表示装置１０６−１〜１０６−ｎは、縦横に複数台ずつ並べられて、複数の表示面が充填された１つの大表示面を模擬している。
【０００６】
情報端末１０４−ｉにより実行されるサーバプロセス１０７−ｉは、入力装置１０５−ｉにより作成されたその指示をクライアントプロセス実行装置１０３に送信する動作と、クライアントプロセス実行装置１０３から配信された大画面から一部分を切り出してその一部分を表示装置１０６−ｉに表示する動作とを備えている。
【０００７】
クライアントプロセス実行装置１０３により実行されるクライアントプロセス１０８−１〜１０８−ｎは、それぞれ、情報端末１０４−１〜１０４−ｎ毎に独立して実行される。すなわち、クライアントプロセス１０８−ｉは、情報端末１０４−ｉから指示を収集する動作と、その指示に基づいて表示画面１０６−１〜１０６−ｎに表示される大画面を更新する動作と、情報端末１０４−ｉにその大画面を配信する動作とを備えている。
【０００８】
クライアントプロセス１０８−ｉは、さらに、他のクライアントプロセス１０８−ｊ（ｊ＝１，２，３，…，ｎ；ｊ≠ｉ）により収集された指示に基づいて更新された大画面を情報端末１０４−ｉに配信する動作を備えている。
【０００９】
情報端末１０４−ｉのユーザは、まず、情報端末１０４−ｉを用いてクライアントプロセス実行装置１０３に大画面を更新する指示を送信する。クライアントプロセス実行装置１０３は、その指示に応答して、表示装置１０６−１〜１０６−ｎに表示されるべき大画面を作成し、その大画面を情報端末１０４−１〜１０４−ｎに配信する。情報端末１０４−ｉは、配信された大画面の一部分を表示装置１０６−ｉに表示する。この結果、その大画面は、表示装置１０６−１〜１０６−ｎにより模擬されている大表示面に表示されることができる。
【００１０】
このようなウィンドウシステム１００では、クライアントプロセス実行装置１０３が情報端末１０４−１〜１０４−ｎから互いに矛盾する複数の指示を同時に収集したときに、クライアントプロセス実行装置１０３が互いに矛盾する複数の大画面を作成して情報端末１０４−１〜１０４−ｎに配信して、表示画面１０６−１〜１０６−ｎが形成する大表示面にユーザが意図した大画面が表示されないことがある。
【００１１】
複数のユーザに利用され、大画面を矛盾なく表示することができるウィンドウシステムが望まれている。そのウィンドウシステムは、実行される動作の量が少ないことが望まれている。
【００１２】
【特許文献１】
特開２０００−８９７３８号公報
【特許文献２】
特開２０００−３１０９８２号公報
【００１３】
【発明が解決しようとする課題】
本発明の課題は、複数のユーザに利用される大画面を矛盾なく複数の表示装置に表示する大画面表示装置及び大画面表示方法を提供することにある。
本発明の他の課題は、複数のユーザに利用される大画面を矛盾なく複数の表示装置に表示する情報処理装置の負荷を低減する大画面表示装置及び大画面表示方法を提供することにある。
本発明のさらに他の課題は、複数のユーザに利用される大画面を矛盾なく複数の表示装置に表示するときに伝達される情報の情報量を低減する大画面表示装置及び大画面表示方法を提供することにある。
本発明のさらに他の課題は、複数の表示面にそれぞれ表示される複数の画面をより速く複数のユーザの操作により更新する大画面表示装置及び大画面表示方法を提供することにある。
【００１４】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【００１５】
本発明による大画面表示装置（３、４−ｉ）は、回線網（２）を介して複数端末（４−１〜４−ｎ）から複数指示を収集する指示収集部（３２）と、複数指示のうちの１つの指示に基づいて大画面（２１）を作成する画面作成部（３３）と、大画面（２１）に基づいて複数画面（２２−１〜２２−ｎ）を作成する複数画面作成部（３４）と、回線網（２）を介して複数画面（２２−１〜２２−ｎ）を複数端末（４−１〜４−ｎ）にそれぞれ配信する分割画面配信部（３５）とを備えている。複数画面（２２−１〜２２−ｎ）は、それぞれ大画面（２１）の部分を含んでいる。複数端末（４−１〜４−ｎ）は、複数表示装置（６−１〜６−ｎ）の表示面に複数画面（２２−１〜２２−ｎ）をそれぞれ表示する。
【００１６】
大画面表示装置（３、４−ｉ）は、収集された１つの指示により大画面（２１）を更新した後に、複数表示装置（６−１〜６−ｎ）の表示面に表示される複数画面（２２−１〜２２−ｎ）を作成する。すなわち、複数画面（２２−１〜２２−ｎ）のうちの１つの画面は、複数画面（２２−１〜２２−ｎ）のうちの他の画面に独立して更新されない。このため、複数画面（２２−１〜２２−ｎ）は、互いに矛盾する２つの大画面を同時に示すことがなく好ましい。大画面表示装置（３、４−ｉ）は、さらに、複数画面（２２−１〜２２−ｎ）毎に大画面（２１）を更新することより、処理の負荷が低減することができ好ましい。
【００１７】
大画面（２１）は、表示装置（６−１〜６−ｎ）の表示面より大きい。このため、表示装置（６−１〜６−ｎ）は、それぞれ大画面（２１）の全体を表示することができない。大画面表示装置（３、４−ｉ）は、このような大画面（２１）を表示するときに適用されることが好ましい。
【００１８】
複数画面（２２−１〜２２−ｎ）は、互いに素であり、大画面（２１）は、複数画面（２２−１〜２２−ｎ）に重複して表現されている部分がない。このような複数画面（２２−１〜２２−ｎ）は、大画面表示装置（３、４−ｉ）から複数表示装置（６−１〜６−ｎ）に配信される情報の情報量をより低減する。
【００１９】
複数端末（４−１〜４−ｎ）は、大画面表示装置（３）を含んでいる。すなわち、大画面表示装置（４−ｉ）は、複数指示のうちの１つを生成し、複数表示装置（６−１〜６−ｎ）のうちの１つを備えていることが好ましい。
【００２０】
回線網（２）は、インターネットであることが好ましい。複数端末（４−１〜４−ｎ）は、携帯電話機であることが好ましい。
【００２１】
本発明による大画面表示方法は、回線網（２）を介して複数端末（４−１〜４−ｎ）から複数指示を収集するステップ（Ｓ２）と、複数指示のうちの１つの指示に基づいて大画面（２１）を作成するステップ（Ｓ３）と、大画面（２１）に基づいて複数画面（２２−１〜２２−ｎ）を作成するステップ（Ｓ４）と、回線網（２）を介して複数画面（２２−１〜２２−ｎ）を複数端末（４−１〜４−ｎ）にそれぞれ配信するステップ（Ｓ５）とを備えている。複数画面（２２−１〜２２−ｎ）は、それぞれ大画面（２１）の部分を含んでいる。複数端末（４−１〜４−ｎ）は、複数表示装置（６−１〜６−ｎ）の表示面に複数画面（２２−１〜２２−ｎ）をそれぞれ表示する。
【００２２】
本発明による大画面表示方法は、収集された１つの指示により大画面（２１）を更新した後に、複数表示装置（６−１〜６−ｎ）の表示面に表示される複数画面（２２−１〜２２−ｎ）を作成する。すなわち、複数画面（２２−１〜２２−ｎ）のうちの１つの画面は、複数画面（２２−１〜２２−ｎ）のうちの他の画面に独立して更新されない。このため、複数画面（２２−１〜２２−ｎ）は、互いに矛盾する２つの大画面を同時に示すことがなく好ましい。大画面表示方法は、さらに、複数画面（２２−１〜２２−ｎ）毎に大画面（２１）を更新することより、処理の負荷が低減することができ好ましい。
【００２３】
大画面（２１）は、表示装置（６−１〜６−ｎ）の表示面より大きい。このため、表示装置（６−１〜６−ｎ）は、それぞれ大画面（２１）の全体を表示することができない。大画面表示方法は、このような大画面（２１）を表示するときに適用されることが好ましい。
【００２４】
複数画面（２２−１〜２２−ｎ）は、互いに素であり、大画面（２１）は、複数画面（２２−１〜２２−ｎ）に重複して表現されている部分がない。このような複数画面（２２−１〜２２−ｎ）は、大画面表示方法において通信される情報の情報量をより低減する。
【００２５】
複数端末（４−１〜４−ｎ）は、本発明による大画面表示方法を実行するコンピュータ（情報処理装置）を含んでいる。すなわち、そのコンピュータは、複数指示のうちの１つを生成し、複数表示装置（６−１〜６−ｎ）のうちの１つを備えていることが好ましい。
【００２６】
回線網（２）は、インターネットであることが好ましい。複数端末（４−１〜４−ｎ）は、携帯電話機であることが好ましい。
【００２７】
【発明の実施の形態】
図面を参照して、本発明による大画面表示装置が適用される大画面表示システムの実施の形態を説明する。その大画面表示システム１は、図１に示されているように、回線網２を介して複数の情報処理装置（コンピュータ）が互いに双方向に情報を伝送することができるように接続されている。回線網２としては、インターネット、ローカルエリアネットワーク（ＬＡＮ）が例示される。その情報処理装置は、大画面表示装置３と複数の情報端末４−１〜４−ｎ（ｎ＝２，３，４，…）から形成されている。すなわち、大画面表示装置３と情報端末４−１〜４−ｎとは、サーバ・クライアント型のウィンドウシステムを形成している。大画面表示装置３は、ワークステーションに例示される情報処理装置である。情報端末４−ｉ（ｉ＝１，２，３，…，ｎ）は、パーソナルコンピュータ、携帯電話機に例示される情報処理装置である。
【００２８】
情報端末４−ｉは、入力装置５−ｉと表示装置６−ｉとを備えている。表示装置６−ｉは、画面が表示される表示面を有している。情報端末４−ｉは、回線網２を介して大画面表示装置３から配信された画面を表示装置６−ｉの表示面に表示する。表示装置６−１〜６−ｎは、さらに、複数の表示面が１つの大表示面を模擬するように、並べられている。入力装置５−ｉは、情報端末４−ｉのユーザにより操作されて指示を作成する。このとき、情報端末４−ｉは、回線網２を介して、入力装置により作成されたその指示を大画面表示装置３に送信する。その指示は、表示装置６−ｉの表示面が大表示面の一部分に構成されることを要求する登録指示、大画面を更新することを要求する表示指示および表示装置６−ｉの表示面を大表示面から除くことを要求する終了指示を含んでいる。
【００２９】
図２は、大画面表示装置３を示している。大画面表示装置３は、コンピュータプログラムである登録端末データベース１１、指示収集部１２、大画面作成部１３、複数画面作成部１４および画面配信部１５を備えている。
【００３０】
登録端末データベース１１は、登録されている情報端末４−１〜４−ｎを互いに識別する情報に対応づけて、回線網２で情報を伝送するために情報端末４−１〜４−ｎに割り当てられたアドレスと大表示面の中の表示装置６−１〜６−ｎの表示面のそれぞれの位置とを記録している。
【００３１】
指示収集部１２は、回線網２を介して情報端末４−１〜４−ｎから送信される指示を収集する。大画面作成部１３は、指示収集部１２により収集された指示に基づいて、大画面を更新して作成する。大画面作成部１３は、さらに、その指示が複数であるときに、その指示のうち最も古い指示に基づいて大画面を更新し、その後に、次いで古い指示に基づいて大画面を更新する。複数画面作成部１４は、大画面作成部１３により作成された大画面を複数の画面に分割する。画面配信部１５は、複数画面作成部１４により分割された複数の画面を対応する情報端末４−１〜４−ｎにそれぞれ配信する。
【００３２】
図３は、大画面作成部１３により作成された大画面を示している。その大画面２１は、表示装置６−１〜６−ｎの表示面より大きい。大画面２１は、複数画面作成部１４により分割画面２２−１〜２２−ｎに分割される。すなわち、分割画面２２−１〜２２−ｎは、互いに素である。すなわち、大画面２１は、複数の分割画面２２−１〜２２−ｎに重複して表現されている部分がない。
【００３３】
大画面２１としては、動画、さらに大きい巨大画面の一部分が例示される。大画面２１が動画であるときに、表示指示としては、さらに、再生の開始、停止、再生の速さの変更が例示される。大画面２１が巨大画面の一部分であるときに、表示指示としては、さらに、スクロールの方向とスクロールの量が例示される。
【００３４】
本発明による大画面表示方法の実施の形態は、ウィンドウシステム１により実行され、情報端末４−１〜４−ｎを登録する動作と、表示装置６−１〜６−ｎに大画面２１を表示する動作と、情報端末４−１〜４−ｎの登録を解除する動作とを備えている。
【００３５】
情報端末４−１〜４−ｎを登録する動作では、情報端末４−ｉが、まず、大画面表示装置３に登録を要求する登録指示を送信する。大画面表示装置３は、その登録指示に応答して、情報端末４−ｉを識別する情報に対応づけて、情報端末４−ｉに割り当てられたアドレスを登録端末データベース１１に記録する。大画面表示装置３は、さらに、大表示面の中の表示装置６−ｉの表示面のそれぞれの位置を算出して、情報端末４−ｉを識別する情報に対応づけてその位置を登録端末データベース１１に記録する。
【００３６】
図４は、表示装置６−１〜６−ｎに大画面２１を表示する動作を示している。情報端末４−ｉのユーザは、まず、入力装置５−ｉを用いて情報端末４−ｉに表示指示を入力する（ステップＳ１）。その表示指示は、大画面２１を更新する内容を示している。情報端末４−ｉは、回線網２を介して、その表示指示を大画面表示装置３に送信する（ステップＳ２）。
【００３７】
大画面表示装置３は、その表示指示に基づいて、大画面２１を作成する（ステップＳ３）。大画面表示装置３は、情報端末４−１〜４−ｎから複数の表示指示を同時に収集したときに、その表示指示のうちの最も古い表示指示に基づいて大画面２１を更新し、その表示指示のうちの次に古い指示に基づいて大画面２１をその次に更新する。大画面表示装置３は、大表示面の中の表示装置６−ｉの表示面のそれぞれの位置に基づいて大画面２１を分割して表示装置６−１〜６−ｎにそれぞれ表示される複数の分割画面２２−１〜２２−ｎを作成する（ステップＳ４）。すなわち、大画面表示装置３は、大画面２１を分割して表示装置６−ｉに表示される分割画面２２−ｉを作成する。
【００３８】
大画面表示装置３は、回線網２を介して、分割画面２２−１〜２２−ｎを情報端末４−１〜４−ｎにそれぞれ配信する（ステップＳ５）。すなわち、大画面表示装置３は、回線網２を介して、分割画面２２−ｉを情報端末４−ｉに配信する。情報端末４−１〜４−ｎは、それぞれ受信した画面を表示装置６−１〜６−ｎに表示する。すなわち、情報端末４−ｉは、受信した画面を表示装置６−ｉに表示する（ステップＳ６）。ステップＳ１〜ステップＳ６までの動作は、繰り返して実行される。
【００３９】
このような動作によれば、大画面２１は、表示装置６−１〜６−ｎにより模擬される大表示面に異なる２つの大画面の部分が混じって表示されないで、適切に矛盾なく表示されることができる。
【００４０】
たとえば、情報端末４−１〜４−２として２台の携帯電話機を適用して情報端末４−１〜４−２の２人のユーザが将棋で対戦することにウィンドウシステム１が用いられるときに、携帯電話機の表示装置６−１は、一般的に小さく、将棋盤の全部を表示して、かつ、その将棋盤の上の複数の駒を互いに識別可能に表示することが難しい。ウィンドウシステム１は、大画面２１が将棋盤を示すときに、表示装置６−１にその将棋盤の先手側半分を表示し、表示装置６−２にその将棋盤の後手側半分を表示することができ、将棋盤の全部を表示して、かつ、その将棋盤の上の複数の駒を互いに識別可能に表示することができる。
【００４１】
ユーザは、情報端末４−ｉを用いて、表示指示として駒の動きまたはスクロール方向を示す情報を大画面表示装置３に送信する。大画面表示装置３は、駒の動きに基づいて大画面２１を作成する。このとき、２人のユーザは、互いに携帯電話機を見せ合いながら将棋を楽しむことができる。大画面表示装置３は、さらに、スクロール方向に基づいてスクロールされた大画面２１を作成する。このとき、ユーザは、自分の携帯電話機だけを見ながら将棋を楽しむことができる。
【００４２】
情報端末４−１〜４−ｎの登録を解除する動作では、情報端末４−ｉが、まず、大画面表示装置３に表示装置６−ｉの表示面を大表示面から除くことを要求する終了指示を通知する。大画面表示装置３は、その終了指示に応答して、登録端末データベース１１から情報端末４−ｉに対応する情報を削除し、表示装置６−１〜６−ｎの残りの表示面の大表示面の中のそれぞれの位置を算出して、情報端末４−ｉを識別する情報に対応づけてその位置を登録端末データベース１１に記録する。
【００４３】
本発明による大画面表示装置の実施の他の形態は、既述の実施の形態における情報端末４−ｉが大画面表示装置３の動作をさらに実行している。すなわち、情報端末４−ｉは、図５に示されているように、コンピュータプログラムである登録端末データベース３１、指示収集部３２、大画面作成部３３、複数画面作成部３４および画面配信部３５を備えている。
【００４４】
登録端末データベース３１は、登録されている情報端末４−１〜４−ｎを互いに識別する情報に対応づけて、回線網２で情報を伝送するために情報端末４−１〜４−ｎに割り当てられたアドレスと大表示面の中の表示装置６−１〜６−ｎの表示面のそれぞれの位置とを記録している。
【００４５】
指示収集部３２は、回線網２を介して情報端末４−１〜４−ｎから送信される指示を収集する。大画面作成部３３は、指示収集部３２により収集された指示に基づいて、大画面を更新して作成する。大画面作成部３３は、さらに、その指示が複数であるときに、その指示のうち最も古い指示に基づいて大画面を更新し、その後に、次いで古い指示に基づいて大画面を更新する。複数画面作成部３４は、大画面作成部３３により作成された大画面を複数の画面に分割する。画面配信部３５は、複数画面作成部３４により分割された複数の画面を対応する情報端末４−１〜４−ｎにそれぞれ配信する。
【００４６】
本実施の形態における情報端末４−ｉは、既述の実施の形態における大画面表示装置３と同様に動作する。すなわち、情報端末４−ｉは、情報端末４−１〜４−ｎを登録する動作と、表示装置６−１〜６−ｎに大画面２１を表示する動作と、情報端末４−１〜４−ｎの登録を解除する動作とを備えている。
【００４７】
情報端末４−１〜４−ｎを登録する動作では、情報端末４−ｊ（ｊ＝１，２，３，…，ｎ；ｊ≠ｉ）が、まず、情報端末４−ｉに登録を要求する登録指示を送信する。情報端末４−ｉは、その登録指示に応答して、情報端末４−ｊを識別する情報に対応づけて、情報端末４−ｊに割り当てられたアドレスを登録端末データベース３１に記録する。情報端末４−ｉは、さらに、大表示面の中の表示装置６−ｊの表示面のそれぞれの位置を算出して、情報端末４−ｊを識別する情報に対応づけてその位置を登録端末データベース３１に記録する。
【００４８】
図４は、表示装置６−１〜６−ｎに大画面２１を表示する動作を示している。情報端末４−ｊのユーザは、まず、入力装置５−ｊを用いて情報端末４−ｊに表示指示を入力する。その表示指示は、大画面２１を更新する内容を示している。情報端末４−ｊは、回線網２を介して、その表示指示を情報端末４−ｉに送信する。
【００４９】
情報端末４−ｉは、その表示指示に基づいて、大画面２１を作成する。情報端末４−ｉは、情報端末４−１〜４−ｎから複数の表示指示を同時に収集したときに、その表示指示のうちの最も古い表示指示に基づいて大画面２１を更新し、その表示指示のうちの次に古い指示に基づいて大画面２１をその次に更新する。情報端末４−ｉは、大表示面の中の表示装置６−ｊの表示面のそれぞれの位置に基づいて大画面２１を分割して表示装置６−１〜６−ｎにそれぞれ表示される複数の分割画面２２−１〜２２−ｎを作成する。すなわち、情報端末４−ｉは、大画面２１を分割して表示装置６−ｊに表示される分割画面２２−ｊを作成する。
【００５０】
情報端末４−ｉは、回線網２を介して、分割画面２２−１〜２２−ｎを情報端末４−１〜４−ｎにそれぞれ配信する。すなわち、情報端末４−ｉは、回線網２を介して、分割画面２２−ｊを情報端末４−ｊに配信する。情報端末４−１〜４−ｎは、それぞれ受信した画面を表示装置６−１〜６−ｎに表示する。すなわち、情報端末４−ｊは、受信した画面を表示装置６−ｊに表示する。この動作は、繰り返して実行される。
【００５１】
このような動作によれば、大画面２１は、表示装置６−１〜６−ｎにより模擬される大表示面に矛盾なく表示されることができる。
【００５２】
【発明の効果】
本発明による大画面表示装置及び大画面表示方法は、複数のユーザに利用される大画面を複数の表示装置に表示するときに、表示装置のそれぞれに表示される画面に矛盾の発生を低減することができる。
【図面の簡単な説明】
【図１】図１は、大画面表示システムの実施の形態を示すブロック図である。
【図２】図２は、本発明による大画面表示装置の実施の形態を示すブロック図である。
【図３】図３は、大画面の実施の形態を概念的に示す図である。
【図４】図４は、動作の実施の形態を示すフローチャートである。
【図５】図５は、本発明による大画面表示装置の実施の他の形態を示すブロック図である。
【図６】図６は、大画面を表示する公知のウィンドウシステムの実施の形態を示すブロック図である。
【符号の説明】
１　：大画面表示システム
２　：回線網
３　：大画面表示装置
４−１〜４−ｎ：情報端末
５−１〜５−ｎ：入力装置
６−１〜６−ｎ：表示装置
１１：登録端末データベース
１２：指示収集部
１３：大画面作成部
１４：複数画面作成部
１５：画面配信部
２１：大画面
２２−１〜２２−ｎ：分割画面
３１：登録端末データベース
３２：指示収集部
３３：大画面作成部
３４：複数画面作成部
３５：画面配信部
【図１】
2004144822.tif 000003
【図２】
2004144822.tif 000004
【図３】
2004144822.tif 000005
【図４】
2004144822.tif 000006
【図５】
2004144822.tif 000007
【図６】
2004144822.tif 000008